【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
所定のブロック単位で所望のデータを記録した記録媒体において、
前記ブロックを所定のフレームに分割すると共に、１の前記ブロックを形成する前記フレームの数に比して種類の少ない識別パターンを前記各フレームに順次割り当てて前記データを記録し、
前記各ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てた
ことを特徴とする記録媒体。
【請求項２】
前記各ブロックにおいて、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンを割り当てた
ことを特徴とする請求項１に記載の記録媒体。
【請求項３】
前記識別パターンの種類は、
フレーム数ｎに対して、ｎ1/2 〜２ｎ1/2 の範囲に設定された
ことを特徴とする請求項２に記載の記録媒体。
【請求項４】
前記識別パターンの種類は、
フレーム数ｎに対して、（ｎ−１）1/2 ＋１〜２（（ｎ−１）1/2 ＋１）の範囲に設定され、
前記識別パターンのうちの１の識別パターンは、前記ブロックの特定フレームにのみ割り当てられた
ことを特徴とする請求項２に記載の記録媒体。
【請求項５】
前記ブロックを、複数の前記フレームによる複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項２に記載の記録媒体。
【請求項６】
所定のブロック単位で所望のデータを伝送するデータ伝送装置において、
前記ブロックを所定のフレームに分割すると共に、１の前記ブロックを形成する前記フレームの数に比して種類の少ない識別パターンを前記各フレームに順次割り当てて前記データを伝送し、
前記各ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てた
ことを特徴とするデータ伝送装置。
【請求項７】
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンを割り当てた
ことを特徴とする請求項６に記載のデータ伝送装置。
【請求項８】
前記識別パターンの種類は、
フレーム数ｎに対して、ｎ1/2 〜２ｎ1/2 の範囲に設定された
ことを特徴とする請求項７に記載のデータ伝送装置。
【請求項９】
前記識別パターンの種類は、
フレーム数ｎに対して、（ｎ−１）1/2 ＋１〜２（（ｎ−１）1/2 ＋１）の範囲に設定され、
前記識別パターンのうちの１の識別パターンは、前記ブロックの特定フレームにのみ割り当てられる
ことを特徴とする請求項７に記載のデータ伝送装置。
【請求項１０】
前記ブロックを、複数の前記フレームによる複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項７に記載のデータ伝送装置。
【請求項１１】
所定個数の前記ブロックの前後に、それぞれポストアンブル及びプリアンブルを形成して、前記ポストアンブル、前記所定個数の前記ブロック及び前記プリアンブルを単位にして、前記データを伝送し、
前記データに代えて所定のデータを配列してなる複数フレームと、該複数フレームの各フレームに前記識別データを配置して、前記ポストアンブル及び前記プリアンブルを形成し、
前記プリアンブルの先頭側では、同一種類の前記識別パターンが連続するように、前記識別パターンを配置した
ことを特徴とする請求項７に記載のデータ伝送装置。
【請求項１２】
所定個数の前記ブロックの前後に、それぞれポストアンブル及びプリアンブルを形成して、前記ポストアンブル、前記所定個数の前記ブロック及び前記プリアンブルを単位にして、前記データを伝送し、
前記データに代えて所定のデータを配列してなる複数フレームと、該複数フレームの各フレームに前記識別データを配置して、前記ポストアンブル及び前記プリアンブルを形成し、
前記ポストアンブルでは、同一種類の前記識別パターンが連続するように、前記識別パターンを配置した
ことを特徴とする請求項７に記載のデータ伝送装置。
【請求項１３】
所定のブロック単位で伝送された所望のデータを受信するデータ受信装置において、
前記ブロックは、
所定のフレームに分割されると共に、１の前記ブロックを形成する前記フレームの数に比して種類の少ない識別パターンが前記各フレームに順次割り当てられて伝送され、
前記各ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンが割り当てられ、
前記データ受信装置は、
連続する２つの前記フレームの前記識別パターンに基づいて、前記各フレームを特定して前記データを受信する
ことを特徴とするデータ受信装置。
【請求項１４】
前記各ブロックは、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンが割り当てられ、
前記データ受信装置は、
連続する３つの前記フレームの前記識別パターンに基づいて、前記各フレームを特定して前記データを受信する
ことを特徴とする請求項１３に記載のデータ受信装置。
【請求項１５】
所定のブロック単位で所望のデータを光ディスクに記録する光ディスク装置において、
前記ブロックを所定のフレームに分割すると共に、１の前記ブロックを形成する前記フレームの数に比して種類の少ない識別パターンを前記各フレームに順次割り当てて前記データを伝送し、
前記各ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンを割り当てる
ことを特徴とする光ディスク装置。
【請求項１６】
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンを割り当てる
ことを特徴とする請求項１５に記載の光ディスク装置。
【請求項１７】
前記識別パターンの種類は、
フレーム数ｎに対して、ｎ1/2 〜２ｎ1/2 の範囲に設定された
ことを特徴とする請求項１６に記載の光ディスク装置。
【請求項１８】
前記識別パターンの種類は、
フレーム数ｎに対して、（ｎ−１）1/2 ＋１〜２（（ｎ−１）1/2 ＋１）の範囲に設定され、
前記識別パターンのうちの１の識別パターンは、前記ブロックの特定フレームにのみ割り当てられる
ことを特徴とする請求項１６に記載の光ディスク装置。
【請求項１９】
前記ブロックを、複数の前記フレームによる複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項１６に記載の光ディスク装置。
【請求項２０】
所定個数の前記ブロックの前後に、それぞれポストアンブル及びプリアンブルを形成して、前記ポストアンブル、前記所定個数の前記ブロック及び前記プリアンブルを単位にして、前記データを記録し、
前記データに代えて所定のデータを配列してなる複数フレームと、該複数フレームの各フレームに前記識別データを配置して、前記ポストアンブル及び前記プリアンブルを形成し、
前記プリアンブルの先頭側では、同一種類の前記識別パターンが連続するように、前記識別パターンを配置した
ことを特徴とする請求項１６に記載の光ディスク装置。
【請求項２１】
所定個数の前記ブロックの前後に、それぞれポストアンブル及びプリアンブルを形成して、前記ポストアンブル、前記所定個数の前記ブロック及び前記プリアンブルを単位にして、前記データを記録し、
前記データに代えて所定のデータを配列してなる複数フレームと、該複数フレームの各フレームに前記識別データを配置して、前記ポストアンブル及び前記プリアンブルを形成し、
前記ポストアンブルでは、同一種類の前記識別パターンが連続するように、前記識別パターンを配置した
ことを特徴とする請求項１６に記載の光ディスク装置。
【請求項２２】
所定のブロック単位で光ディスクに記録された所望のデータを再生する光ディスク装置において、
前記ブロックは、
所定のフレームに分割されると共に、１の前記ブロックを形成する前記フレームの数に比して種類の少ない識別パターンが前記各フレームに順次割り当てられて伝送され、
前記各ブロックにおいて、
連続するフレームを任意に選択した場合に、前記連続するフレームに割り当てた前記識別パターンの組み合わせが、他の何れかの連続するフレームに割り当てた前記識別パターンの組み合わせと異なるように、前記識別パターンが割り当てられ、
前記光ディスク装置は、
連続する２つの前記フレームの前記識別パターンに基づいて、前記各フレームを特定して前記データを再生する
ことを特徴とする光ディスク装置。
【請求項２３】
前記各ブロックは、
連続する３つのフレームを任意に選択した場合に、前記連続する３つのフレームの先頭のフレーム及び末尾のフレームに割り当てた前記識別パターンの組み合わせが、他の何れかの３つの連続するフレームの先頭のフレーム及び末尾のフレームに割り当てた前記識別パターンの組み合わせと異なるように、前記識別パターンが割り当てられ、
前記光ディスク装置は、
連続する３つの前記フレームの前記識別パターンに基づいて、前記各フレームを特定して前記データを再生する
ことを特徴とする請求項２２に記載の光ディスク装置。